(57)【要約】【課題】スピーカから音声を出力させる音源を複数の音源から選択した場合において、選択されなかった音源を設定したユーザも、選択された音源の属性を認識できるようにした車両用エンターテイメントシステムを提供する。【解決手段】車両用エンターテイメントシステム１０は、スピーカ１１から音声を出力させる音声コントローラが複数の音声コントローラ１２，１３から選択されると、選択されなかった音声コントローラの音源を、選択された音声コントローラの音源に切り替える。【選択図】図１
2015156621.tif 000002
【特許請求の範囲】
【請求項１】
車内に音声を出力するためのスピーカ（１１）と、
前記スピーカから音声を出力可能に設けられた複数の音声コントローラ（１２，１３，１３Ａ，１３Ｂ）と、
前記スピーカから音声を出力させる前記音声コントローラを選択する選択手段（３１，４１）と、
前記選択手段により前記スピーカから音声を出力させる前記音声コントローラが選択されると、選択されなかった前記音声コントローラの音源を、選択された前記音声コントローラの音源に切り替える切替手段（３２，４２）と、
を備えることを特徴とする車両用エンターテイメントシステム。
【請求項２】
前記スピーカは１つであり、
前記選択手段は、前記スピーカから音声を出力させる１つの前記音声コントローラを選択することを特徴とする請求項１に記載の車両用エンターテイメントシステム。
【請求項３】
前記音声コントローラは、それぞれ前記選択手段を備えており、
前記スピーカから音声を出力させる前記音声コントローラを何れの前記選択手段からも選択可能に構成されていることを特徴とする請求項１または２に記載の車両用エンターテイメントシステム。
【請求項４】
前記選択手段により前記スピーカから音声を出力させる前記音声コントローラが選択されると、選択されなかった前記音声コントローラの音源を記憶する記憶手段（３３，４３）をさらに備え、
前記切替手段は、前記選択手段による前記音声コントローラの選択が解除されると、選択されなかった前記音声コントローラの音源を、前記記憶手段によって記憶された音源に切り替えることを特徴とする請求項１から３の何れか１項に記載の車両用エンターテイメントシステム。
【請求項５】
前記切替手段は、前記選択手段により前記スピーカから音声を出力させる前記音声コントローラが選択された場合において、選択された前記音声コントローラの音源と選択されなかった前記音声コントローラの音源とが一致する場合には、選択されなかった前記音声コントローラの音源を、選択された前記音声コントローラの音源に切り替えないように構成されていることを特徴とする請求項１から４の何れか１項に記載の車両用エンターテイメントシステム。
【請求項６】
前記音声コントローラは、車内の前席部に設けられた前席音声コントローラ（１２）と、車内の後席部に設けられた後席音声コントローラ（１３，１３Ａ，１３Ｂ）と、を含むことを特徴とする請求項１から５の何れか１項に記載の車両用エンターテイメントシステム。
【発明の詳細な説明】
【技術分野】
【０００１】
本発明は、車両用エンターテイメントシステムに関する。
【背景技術】
【０００２】
従来より、車内の前席と後席にそれぞれディスプレイを配置し、前席と後席とで異なる音声や音声を含む映像を出力するシステムが考えられている。例えば特許文献１には、前席のユーザに対する音声をスピーカから出力し、後席のユーザに対する音声をヘッドホンから出力するシステムが開示されている。
【先行技術文献】
【特許文献】
【０００３】
【特許文献１】特開２００３−８９３３１号公報
【発明の概要】
【発明が解決しようとする課題】
【０００４】
ところで、この種のシステムにおいては、後席のユーザが希望する音声を、ヘッドホンではなくスピーカから出力したい場合も生じる。即ち、前席のユーザよりも後席のユーザを優先したい場合には、スピーカからは後席のユーザが希望する音声を出力したいという要望が生じる。この場合、スピーカから出力する音声の音源を後席のユーザが設定した音源に切り替えることで、スピーカからは後席のユーザが希望する音声を出力することができる。しかし、この場合、前席のユーザが設定した音源と実際にスピーカから出力される音声の音源とが異なる状態となり、前席のユーザは、後席のユーザが設定した音源の種類やタイトルなどといった属性を認識することができない。つまり、前席のユーザは、スピーカから出力されている音声の音源が何であるのかを把握することができない。
【０００５】
そこで、本発明は、スピーカから音声を出力させる音源を複数の音源から選択した場合において、選択されなかった音源を設定したユーザも、選択された音源の属性を認識できるようにした車両用エンターテイメントシステムを提供する。
【課題を解決するための手段】
【０００６】
本発明に係る車両用エンターテイメントシステムによれば、スピーカから音声を出力させる音声コントローラが複数の音声コントローラから選択されると、選択されなかった音声コントローラの音源が、選択された音声コントローラの音源に切り替えられる。この構成によれば、選択されなかった音声コントローラの音源を、選択された音声コントローラの音源に一致させることができる。従って、選択されなかった音源を設定したユーザも、選択された音源の属性を認識することができる。
【図面の簡単な説明】
【０００７】
【図１】第１実施形態に係る車両用エンターテイメントシステムの構成を概略的に示すブロック図
【図２】前席音声コントローラがスピーカから音声を出力させる音声コントローラとして選択された状態の一例を示す図１相当図
【図３】後席音声コントローラがスピーカから音声を出力させる音声コントローラとして選択された状態の一例を示す図１相当図
【図４】車両用エンターテイメントシステムの動作内容の一例を示すフローチャート
【図５】第２実施形態に係る図１相当図
【発明を実施するための形態】
【０００８】
以下、車両用エンターテイメントシステムの複数の実施形態について図面を参照しながら説明する。なお、各実施形態において実質的に同一の要素には同一の符号を付し、説明を省略する。
（第１実施形態）
例えば図１に示す車両用エンターテイメントシステム１０（以下、単に「エンターテイメントシステム１０」と称する）は、スピーカ１１と、前席音声コントローラ１２と、後席音声コントローラ１３とを備える。即ち、エンターテイメントシステム１０は、車内の前席部に設けられた１つの音声コントローラ１２と、後席部に設けられた１つの音声コントローラ１３とを含む構成である。
【０００９】
スピーカ１１は、車内に音声を出力するものである。この場合、車内には、１つのスピーカ１１が備えられている。なお、スピーカ１１は、前席部に設けられていてもよいし、後席部に設けられていてもよい。また、スピーカ１１は、前席部および後席部の適宜の位置に設けられた複数のスピーカ群からなる構成としてもよい。前席音声コントローラ１２は、主として、車両の前席に座っているユーザによって操作される音声コントローラである。後席音声コントローラ１３は、主として、車両の後席に座っているユーザによって操作されるコントローラである。
【００１０】
前席音声コントローラ１２および後席音声コントローラ１３は、何れも、スピーカ１１に接続されており、設定された音源に基づいて、スピーカ１１から音声を出力可能に設けられている。なお、この場合、スピーカ１１からは、前席音声コントローラ１２で設定されている音源および後席音声コントローラ１３で設定されている音源のうち何れか１つの音源に基づいて音声が出力されるようになっている。
【００１１】
即ち、例えば図２に示すように、前席音声コントローラ１２は、当該前席音声コントローラ１２がスピーカ１１から音声を出力させる音声コントローラ（以下、「音声出力コントローラ」と称する）として選択されると、スピーカ１１との接続をオンして、前席音声コントローラ１２に設定されている音源に基づいて音声をスピーカ１１から出力する。前席音声コントローラ１２が音声出力コントローラとして選択された場合、後席音声コントローラ１３は、スピーカ１１との接続をオフする。
【００１２】
一方、例えば図３に示すように、後席音声コントローラ１３は、当該後席音声コントローラ１３が音声出力コントローラとして選択されると、スピーカ１１との接続をオンして、後席音声コントローラ１３に設定されている音源に基づいて音声をスピーカ１１から出力する。後席音声コントローラ１３が音声出力コントローラとして選択された場合、前席音声コントローラ１２は、スピーカ１１との接続をオフする。
【００１３】
なお、前席音声コントローラ１２および後席音声コントローラ１３は、何れも、設定された音源に基づいて、図示しないヘッドホンからも音声を出力可能に設けられている。なお、音源とは、少なくとも音声を含む各種コンテンツのことであり、具体的には、例えばＡＭラジオ、ＦＭラジオ、衛星ラジオなどといった音声を主体とするコンテンツや、例えばＤＶＤ(Digital Versatile Disc)、テレビなどといった音声と映像を含むコンテンツなどが該当する。
【００１４】
また、前席音声コントローラ１２は、前席部に設けられたディスプレイ１４に接続されている。前席音声コントローラ１２は、当該前席音声コントローラ１２に設定された音源に基づいて視覚的な情報をディスプレイ１４に出力可能に構成されている。また、後席音声コントローラ１３は、後席部に設けられたディスプレイ１５に接続されている。後席音声コントローラ１３は、当該後席音声コントローラ１３に設定された音源に基づいて視覚的な情報をディスプレイ１５に出力可能に構成されている。なお、ディスプレイ１４，１５から出力される視覚的な情報としては、例えば次のような情報が考えられる。即ち、設定された音源がラジオである場合には、そのラジオに関する情報、例えば、そのラジオの周波数、番組名、ラジオ局名といった属性を示す文字情報などが視覚的な情報として考えられる。また、設定された音源がＤＶＤである場合には、そのＤＶＤに関する情報、例えば、そのＤＶＤに収録されている映像や属性を示す文字情報などが視覚的な情報として考えられる。
【００１５】
また、前席音声コントローラ１２は、当該前席音声コントローラ１２を操作するための操作入力部１６を備える。操作入力部１６は、各種の操作ボタンなどを有している。操作入力部１６は、ユーザによる操作ボタンなどの操作に応じて操作信号を前席音声コントローラ１２に出力する。前席音声コントローラ１２は、操作入力部１６から入力される操作信号に応じて、例えば、音源の設定動作や切替動作、設定された音源の出力動作、音声出力コントローラの選択動作などの各種動作を実行する。なお、操作入力部１６は、前席音声コントローラ１２に遠隔から操作を入力するリモコンで構成してもよい。
【００１６】
また、後席音声コントローラ１３は、当該後席音声コントローラ１３を操作するための操作入力部１７を備える。操作入力部１７は、各種の操作ボタンなどを有している。操作入力部１７は、ユーザによる操作ボタンなどの操作に応じて操作信号を後席音声コントローラ１３に出力する。後席音声コントローラ１３は、操作入力部１７から入力される操作信号に応じて、例えば、音源の設定動作や切替動作、設定された音源の出力動作、音声出力コントローラの選択動作などの各種動作を実行する。なお、操作入力部１７は、後席音声コントローラ１３に遠隔から操作を入力するリモコンで構成してもよい。
【００１７】
また、前席音声コントローラ１２は、例えばハードディスクドライブなどからなる記憶部１８を備える。また、後席音声コントローラ１３は、例えばハードディスクドライブなどからなる記憶部１９を備える。また、前席音声コントローラ１２は、例えば通信モジュールなどで構成される通信部２０を備える。また、後席音声コントローラ１３は、例えば通信モジュールなどで構成される通信部２１を備える。前席音声コントローラ１２および後席音声コントローラ１３は、通信部２０，２１を介して相互に通信可能に構成されている。なお、前席音声コントローラ１２と後席音声コントローラ１３との通信は、無線通信であってもよいし有線通信であってもよい。
【００１８】
次に、前席音声コントローラ１２および後席音声コントローラ１３のソフトウェア的な構成について説明する。即ち、前席音声コントローラ１２は、図示しないＣＰＵにおいて制御プログラムを実行することにより、前席選択処理部３１、前席切替処理部３２、前席記憶処理部３３をソフトウェアによって仮想的に実現する。
前席選択処理部３１は、選択手段の一例であり、前席音声コントローラ１２および後席音声コントローラ１３のうち何れか１つの音声コントローラを音声出力コントローラとして選択する機能を有する。即ち、前席選択処理部３１は、前席音声コントローラ１２を音声出力コントローラとして選択するための操作信号が操作入力部１６から入力されると、前席音声コントローラ１２を音声出力コントローラとして選択する。また、前席選択処理部３１は、後席音声コントローラ１３を音声出力コントローラとして選択するための操作信号が操作入力部１６から入力されると、後席音声コントローラ１３に対し、当該後席音声コントローラ１３を音声出力コントローラとして選択することを指令する選択指令信号を通信部２０を介して送信する。また、前席選択処理部３１は、前席音声コントローラ１２を音声出力コントローラとして選択することを指令する選択指令信号を後席音声コントローラ１３から通信部２０を介して受信すると、前席音声コントローラ１２を音声出力コントローラとして選択する。
【００１９】
前席切替処理部３２は、切替手段の一例であり、前席選択処理部３１あるいは後述する後席選択処理部４１により音声出力コントローラが選択されると、選択されなかった音声コントローラの音源を、選択された音声コントローラの音源に切り替える機能を有する。即ち、前席切替処理部３２は、当該前席切替処理部３２を備える前席音声コントローラ１２が音声出力コントローラとして選択された場合には、当該前席音声コントローラ１２に設定されている音源を特定するための音源特定情報を通信部２０を介して後席音声コントローラ１３に送信する。また、前席切替処理部３２は、後席音声コントローラ１３に対し、音源を前席音声コントローラ１２に設定されている音源に切り替えることを指令する切替指令信号を通信部２０を介して送信する。一方、前席切替処理部３２は、当該前席切替処理部３２を備えない後席音声コントローラ１３が音声出力コントローラとして選択された場合には、当該後席音声コントローラ１３から与えられる音源特定情報および切替指令信号に基づいて、当該前席音声コントローラ１２の音源を後席音声コントローラ１３に設定されている音源に切り替える。
【００２０】
前席記憶処理部３３は、記憶手段の一例であり、前席選択処理部３１あるいは後述する後席選択処理部４１により後席音声コントローラ１３が音声出力コントローラとして選択されると、選択されなかった前席音声コントローラ１２に設定されている音源に関する情報を記憶部１８に記憶する。なお、記憶部１８に記憶する情報としては、設定されている音源に応じて様々な情報が考えられる。即ち、設定されている音源がラジオである場合には、そのラジオを特定するために必要な最小限の情報、例えば、そのラジオの周波数、番組名、ラジオ局名などといった属性情報を記憶すれば十分である。また、設定されている音源がＤＶＤである場合には、そのＤＶＤを特定するために必要な最小限の情報、例えば、そのＤＶＤに設定されている識別番号などといった属性情報を記憶すれば十分である。
【００２１】
一方、後席音声コントローラ１３は、ＣＰＵにおいて制御プログラムを実行することにより、後席選択処理部４１、後席切替処理部４２、後席記憶処理部４３をソフトウェアによって仮想的に実現する。
後席選択処理部４１は、選択手段の一例であり、前席音声コントローラ１２および後席音声コントローラ１３のうち何れか１つの音声コントローラを音声出力コントローラとして選択する機能を有する。即ち、後席選択処理部４１は、後席音声コントローラ１３を音声出力コントローラとして選択するための操作信号が操作入力部１７から入力されると、後席音声コントローラ１３を音声出力コントローラとして選択する。また、後席選択処理部４１は、前席音声コントローラ１２を音声出力コントローラとして選択するための操作信号が操作入力部１７から入力されると、前席音声コントローラ１２に対し、当該前席音声コントローラ１２を音声出力コントローラとして選択することを指令する選択指令信号を通信部２１を介して送信する。また、後席選択処理部４１は、後席音声コントローラ１３を音声出力コントローラとして選択することを指令する選択指令信号を前席音声コントローラ１２から通信部２１を介して受信すると、後席音声コントローラ１３を音声出力コントローラとして選択する。
【００２２】
後席切替処理部４２は、切替手段の一例であり、後席選択処理部４１あるいは前席選択処理部３１により音声出力コントローラが選択されると、選択されなかった音声コントローラの音源を、選択された音声コントローラの音源に切り替える機能を有する。即ち、後席切替処理部４２は、当該後席切替処理部４２を備える後席音声コントローラ１３が音声出力コントローラとして選択された場合には、当該後席音声コントローラ１３に設定されている音源を特定するための音源特定情報を通信部２１を介して前席音声コントローラ１２に送信する。また、後席切替処理部４２は、前席音声コントローラ１２に対し、音源を後席音声コントローラ１３に設定されている音源に切り替えることを指令する切替指令信号を通信部２１を介して送信する。一方、後席切替処理部４２は、当該後席切替処理部４２を備えない前席音声コントローラ１２が音声出力コントローラとして選択された場合には、当該前席音声コントローラ１２から与えられる音源特定情報および切替指令信号に基づいて、当該後席音声コントローラ１３の音源を前席音声コントローラ１２に設定されている音源に切り替える。
【００２３】
後席記憶処理部４３は、記憶手段の一例であり、後席選択処理部４１あるいは前席選択処理部３１により前席音声コントローラ１２が音声出力コントローラとして選択されると、選択されなかった後席音声コントローラ１３に設定されている音源に関する情報を記憶部１９に記憶する。なお、記憶部１９に記憶する情報としては、設定されている音源に応じて様々な情報が考えられる。
【００２４】
次に、エンターテイメントシステム１０の動作内容の一例について説明する。即ち、例えば図４に示すように、前席音声コントローラ１２は、当該前席音声コントローラ１２が音声出力コントローラとして選択されたか否かを監視している（Ａ１）。また、後席音声コントローラ１３は、当該後席音声コントローラ１３が音声出力コントローラとして選択されたか否かを監視している（Ｂ１）。
前席音声コントローラ１２は、当該前席音声コントローラ１２が音声出力コントローラとして選択された場合には（Ａ１：ＹＥＳ）、スピーカ１１との接続をオンする（Ａ２）。そして、前席音声コントローラ１２は、当該前席音声コントローラ１２に設定されている音源に基づいてスピーカ１１から音声を出力する（Ａ３）。
【００２５】
また、前席音声コントローラ１２は、当該前席音声コントローラ１２が音声出力コントローラとして選択されなかった場合には（Ａ１：ＮＯ）、スピーカ１１との接続をオフする（Ａ４）。そして、前席音声コントローラ１２は、後席音声コントローラ１３から得られる音源特定情報を参照し、当該前席音声コントローラ１２に設定されている音源と後席音声コントローラ１３に設定されている音源とが一致するか否かを確認する（Ａ５）。
【００２６】
前席音声コントローラ１２は、当該前席音声コントローラ１２に設定されている音源と後席音声コントローラ１３に設定されている音源とが一致しない場合には（Ａ５：ＮＯ）、当該前席音声コントローラ１２に設定されている音源を記憶する（Ａ６）。そして、前席音声コントローラ１２は、当該前席音声コントローラ１２の音源を、後席音声コントローラ１３に設定されている音源に切り替える（Ａ７）。これにより、前席音声コントローラ１２のディスプレイ１４には、後席音声コントローラ１３の音源に係る視覚的な情報が出力されるようになる。
【００２７】
そして、前席音声コントローラ１２は、当該前席音声コントローラ１２が音声出力コントローラとして選択されたか否かを監視する（Ａ８）。そして、前席音声コントローラ１２は、後席音声コントローラ１３の音声出力コントローラとしての選択が解除されて当該前席音声コントローラ１２が新たに音声出力コントローラとして選択されると（Ａ８：ＹＥＳ）、スピーカ１１との接続をオンする（Ａ９）。そして、前席音声コントローラ１２は、当該前席音声コントローラ１２の音源を、記憶部１８に記憶されている音源に切り替える（Ａ１０）。これにより、前席音声コントローラ１２の音源が、記憶部１８に記憶されている音源に復帰する。そして、前席音声コントローラ１２に復帰された音源に基づいてスピーカ１１から音声が出力されるようになる。
【００２８】
一方、後席音声コントローラ１３は、当該後席音声コントローラ１３が音声出力コントローラとして選択された場合には（Ｂ１：ＹＥＳ）、スピーカ１１との接続をオンする（Ｂ２）。そして、後席音声コントローラ１３は、当該後席音声コントローラ１３に設定されている音源に基づいてスピーカ１１から音声を出力する（Ｂ３）。
【００２９】
また、後席音声コントローラ１３は、当該後席音声コントローラ１３が音声出力コントローラとして選択されなかった場合には（Ｂ１：ＮＯ）、スピーカ１１との接続をオフする（Ｂ４）。そして、後席音声コントローラ１３は、前席音声コントローラ１２から得られる音源特定情報を参照し、当該後席音声コントローラ１３に設定されている音源と前席音声コントローラ１２に設定されている音源とが一致するか否かを確認する（Ｂ５）。
【００３０】
後席音声コントローラ１３は、当該後席音声コントローラ１３に設定されている音源と前席音声コントローラ１２に設定されている音源とが一致しない場合には（Ｂ５：ＹＥＳ）、当該後席音声コントローラ１３に設定されている音源を記憶する（Ｂ６）。そして、後席音声コントローラ１３は、当該後席音声コントローラ１３の音源を、前席音声コントローラ１２に設定されている音源に切り替える（Ｂ７）。これにより、後席音声コントローラ１３のディスプレイ１５には、前席音声コントローラ１２の音源に係る視覚的な情報が出力されるようになる。
【００３１】
そして、後席音声コントローラ１３は、当該後席音声コントローラ１３が音声出力コントローラとして選択されたか否かを監視する（Ｂ８）。そして、後席音声コントローラ１３は、前席音声コントローラ１２の音声出力コントローラとしての選択が解除されて当該後席音声コントローラ１３が新たに音声出力コントローラとして選択されると（Ｂ８：ＹＥＳ）、スピーカ１１との接続をオンする（Ｂ９）。そして、後席音声コントローラ１３は、当該後席音声コントローラ１３の音源を、記憶部１９に記憶されている音源に切り替える（Ｂ１０）。これにより、後席音声コントローラ１３の音源が、記憶部１９に記憶されている音源に復帰する。そして、後席音声コントローラ１３に復帰された音源に基づいてスピーカ１１から音声が出力されるようになる。
【００３２】
本実施形態に係るエンターテイメントシステム１０によれば、スピーカ１１から音声を出力させる音声出力コントローラが複数の音声コントローラ１２，１３から選択されると、選択されなかった音声コントローラの音源が、選択された音声コントローラの音源に切り替えられる。この構成によれば、選択されなかった音声コントローラの音源を、選択された音声コントローラの音源に一致させることができ、選択されなかった音声コントローラからも、選択された音声コントローラと同一の音源に関する視覚的情報が出力されるようになる。従って、選択されなかった音源を設定したユーザも、選択された音源の属性を認識することができる。
【００３３】
また、エンターテイメントシステム１０によれば、スピーカ１１は１つであり、その１つのスピーカ１１から音声を出力させる１つの音声コントローラが音声出力コントローラとして選択される。従って、同時に複数の音声コントローラが音声出力コントローラとして選択されることが防止され、車内に出力される音声を１種類に統一することができる。
【００３４】
また、エンターテイメントシステム１０によれば、音声コントローラ１２，１３は、それぞれ選択処理部３１，４１を備えており、何れの選択処理部３１，４１からも音声出力コントローラを選択することが可能である。従って、前席のユーザおよび後席のユーザの何れからも音声出力コントローラを選択することができ、使い勝手がよい。即ち、例えば、前席のユーザが後席のユーザを優先したい場合には、前席のユーザが前席音声コントローラ１２に選択操作を入力することにより、後席音声コントローラ１３を音声出力コントローラとして設定することができる。また、後席のユーザが前席のユーザを優先したい場合には、後席のユーザが後席音声コントローラ１３に選択操作を入力することにより、前席音声コントローラ１２を音声出力コントローラとして設定することができる。
【００３５】
また、エンターテイメントシステム１０によれば、音声コントローラ１２，１３のうち何れか１つの音声コントローラが音声出力コントローラとして設定されると、選択されなかった音声コントローラの音源が記憶部に記憶される。そして、音声出力コントローラの選択が解除されると、選択されなかった音声コントローラの音源が、記憶された音源に切り替えられる。即ち、エンターテイメントシステム１０によれば、音声出力コントローラとしての選択が解除されることをトリガとして、選択されなかった音声コントローラの音源を元の音源に自動的に復帰させることができる。これにより、音声出力コントローラとして選択されなかった音声コントローラのユーザは、音源が切り替えられる前に設定していた音源を再び視聴することができる。
【００３６】
また、エンターテイメントシステム１０によれば、音声出力コントローラとして選択された音声コントローラの音源と選択されなかった音声コントローラの音源とが一致する場合には、選択されなかった音声コントローラの音源を、選択された音声コントローラの音源に切り替えないように構成されている。即ち、複数の音声コントローラの音源が一致するのであれば、そのうちの何れかの音声コントローラが音声出力コントローラとして選択されたとしても、選択されなかった音声コントローラの音源を切り替える必要は生じない。従って、エンターテイメントシステム１０によれば、音源の切り替え処理が無駄に行われてしまうことを回避することができる。
【００３７】
また、エンターテイメントシステム１０によれば、音声コントローラは、車内の前席部に設けられた前席音声コントローラ１２と、車内の後席部に設けられた後席音声コントローラ１３と、を含む。車両の後席には、エンターテイメントシステムの利用を優先させるべき重要人物、いわゆるＶＩＰ(Very Important Person)が座ることが想定される。エンターテイメントシステム１０によれば、例えば運転席や助手席など車両の前席に座るユーザが、前席音声コントローラ１２から後席音声コントローラ１３を音声出力コントローラとして設定する操作が可能である。従って、後席に座る人物の手を煩わすことなく、その人物に音楽や映像などを楽しませることができる。
【００３８】
（第２実施形態）
例えば図５に示す車両用エンターテイメントシステム５０（以下、単に「エンターテイメントシステム５０」と称する）は、車内の前席部に設けられた１つの前席音声コントローラ１２と、後席部に設けられた２つの後席音声コントローラ１３Ａ，１３Ｂとを含む構成である。なお、図示は省略しているが、前席音声コントローラ１２および後席音声コントローラ１３Ａ，１３Ｂは、それぞれ、ディスプレイ、操作入力部、記憶部、通信部などのハードウェア的な構成要素を備えている。また、前席音声コントローラ１２および後席音声コントローラ１３Ａ，１３Ｂは、それぞれ、選択処理部、切替処理部、記憶処理部などのソフトウェア的な構成要素を備えている。
【００３９】
このエンターテイメントシステム５０においても、複数の音声コントローラ１２，１３Ａ，１３Ｂのうち何れか１つが音声出力コントローラとして選択されると、選択された音声コントローラは、スピーカ１１との接続をオンして、当該音声コントローラに設定されている音源に基づいてスピーカ１１から音声を出力する。なお、図５に示す例では、後席音声コントローラ１３Ｂが音声出力コントローラとして選択として選択され、後席音声コントローラ１３Ｂの音源に基づいてスピーカ１１から音声が出力される状態を示している。
【００４０】
また、音声出力コントローラとして選択されなかった音声コントローラは、そのときに設定されている音源を記憶部に記憶するとともに、音源を音声出力コントローラと同一の音源に切り替える。図５に示す例では、音声出力コントローラとして選択されなかった前席音声コントローラ１２および後席音声コントローラ１３Ａは、それぞれ、設定されている音源を記憶し、且つ、音源を音声出力コントローラ１３Ｂと同一の音源に切り替える。なお、この場合も、音声出力コントローラとして選択されなかった音声コントローラ１２，１３Ａは、それぞれ、当該音声コントローラ１２，１３Ａに設定されている音源と音声出力コントローラ１３Ｂの音源とが一致しないことを条件に、音源の切り替え処理を実行するように設定されている。
【００４１】
本実施形態に係るエンターテイメントシステム５０によっても、選択されなかった音声コントローラの音源を、選択された音声コントローラの音源に一致させることができ、選択されなかった音声コントローラからも、選択された音声コントローラと同一の音源に関する視覚的情報を出力することができる。従って、選択されなかった音源を設定したユーザも、選択された音源の属性を認識することができる。
【００４２】
（その他の実施形態）
本発明は、上述した実施形態に限定されるものではなく、その要旨を逸脱しない範囲で種々の実施形態に適用可能である。例えば、音声コントローラの数は、２つ、あるいは、３つに限られるものではなく、３つ以上の複数であってもよい。
また、音声出力コントローラとして選択されなかった音声コントローラは、例えば、音声出力コントローラが選択された後に得られるラジオ放送やテレビ放送などのコンテンツを記録するように構成してもよい。そして、音声出力コントローラとして選択されなかった音声コントローラは、音声出力コントローラの選択が解除されると、記録した情報に基づいて音声や映像などを出力するように構成してもよい。
【符号の説明】
【００４３】
図面中、１０，５０は車両用エンターテイメントシステム、１１はスピーカ、１２は前席音声コントローラ（音声コントローラ）、１３，１３Ａ，１３Ｂは後席音声コントローラ（音声コントローラ）、３１は前席選択処理部（選択手段）、３２は前席切替処理部（切替手段）、３３は前席記憶処理部（記憶手段）、４１は後席選択処理部（選択手段）、４２は後席切替処理部（切替手段）、４３は後席記憶処理部（記憶手段）を示す。
【図１】
2015156621.tif 000003
【図２】
2015156621.tif 000004
【図３】
2015156621.tif 000005
【図４】
2015156621.tif 000006
【図５】
2015156621.tif 000007